【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
第１の通信可能範囲を有する第１通信部と、
第２の通信可能範囲を有する第２通信部と、
ユーザへ報知を行う報知部と、
前記第１通信部から、前記第２通信部を介した通信の開始を要求する要求信号を他の通信装置へ送信し、
前記第１通信部が前記要求信号に対する応答信号を受信した後、当該応答信号に基づいて前記他の通信装置との間の前記第２通信部を介した通信が可能であると判断した場合に、前記第２通信部から認証要求を前記他の通信装置へ送信する制御部と、
を備え、
前記要求信号は、ユーザによるハンドオーバ開始操作に応じて送信され、
前記報知部は、前記第１通信部により前記要求信号に対する前記応答信号が受信された後、前記第２通信部により認証応答が受信される前に、ユーザへ報知を行う、
通信装置。
【請求項２】
前記第２通信部は、前記認証応答を受信した後、前記他の通信装置へアプリケーションに特化しない基本情報を送信し、さらにアプリケーションに特化した詳細情報を送信する、請求項１に記載の通信装置。
【請求項３】
前記通信装置は、少なくとも前記第２の通信可能範囲を有する複数の種類の通信方式を用いて通信可能である、請求項１又は請求項２に記載の通信装置。
【請求項４】
前記第２通信部は、前記応答信号に含まれる通信方式指定情報に応じて通信する、請求項３に記載の通信装置。
【請求項５】
前記報知部は、前記通信方式指定情報により指定される通信方式に応じて異なる報知を行う、請求項４に記載の通信装置。
【請求項６】
前記第２通信部は、事前に設定される優先度に応じて通信する、請求項３に記載の通信装置。
【請求項７】
前記報知部は、音声出力装置を介してユーザへ報知を行う、請求項１〜６のいずれか１項に記載の通信装置。
【請求項８】
前記ハンドオーバ開始操作に応じて第１の画面を表示し、前記第１通信部により前記要求信号に対する前記応答信号が受信された後に第２の画面を表示する表示部、をさらに備える、請求項１〜７のいずれか１項に記載の通信装置。
【請求項９】
前記第１通信部は、近接通信方式に従って通信する、請求項１〜８のいずれか１項に記載の通信装置。
【請求項１０】
第１の通信可能範囲を有する第１通信部と、第２の通信可能範囲を有する第２通信部と、ユーザへ報知を行う報知部と、を備える通信装置により実行される報知方法であって、
前記第１通信部から、前記第２通信部を介した通信の開始を要求する要求信号を他の通信装置へ送信することと、
前記第１通信部により、前記要求信号に対する応答信号を受信することと、
前記応答信号に基づいて前記他の通信装置との間の前記第２通信部を介した通信が可能であると判断した場合に、前記第２通信部から認証要求を前記他の通信装置へ送信することと、
を含み、
前記要求信号は、ユーザによるハンドオーバ開始操作に応じて送信され、
前記報知方法は、前記第１通信部により前記要求信号に対する前記応答信号が受信された後、前記第２通信部により認証応答が受信される前に、前記報知部によりユーザへ報知を行うこと、をさらに含む、
報知方法。
【請求項１１】
第１の通信可能範囲を有する第１通信部と、第２の通信可能範囲を有する第２通信部と、ユーザへ報知を行う報知部と、を備える通信装置を制御するコンピュータを、
前記第１通信部から、前記第２通信部を介した通信の開始を要求する要求信号を他の通信装置へ送信し、
前記第１通信部が前記要求信号に対する応答信号を受信した後、当該応答信号に基づいて前記他の通信装置との間の前記第２通信部を介した通信が可能であると判断した場合に、前記第２通信部から認証要求を前記他の通信装置へ送信する制御部、
として機能させるためのプログラムであって、
前記要求信号は、ユーザによるハンドオーバ開始操作に応じて送信され、
前記制御部は、前記第１通信部により前記要求信号に対する前記応答信号が受信された後、前記第２通信部により認証応答が受信される前に、前記報知部にユーザへの報知を行わせる、
プログラム。
【請求項１２】
第１の通信可能範囲を有する第１通信部と、
第２の通信可能範囲を有する第２通信部と、
ユーザへ報知を行う報知部と、
前記第１通信部が前記第２通信部を介した通信の開始を要求する要求信号を他の通信装置から受信した後、前記第１通信部から前記他の通信装置へ前記要求信号に対する応答信号を送信し、
前記第２通信部が前記他の通信装置から認証要求を受信した後、前記第２通信部から前記他の通信装置へ認証応答を送信する制御部と、
を備え、
前記要求信号は、ユーザによるハンドオーバ開始操作に応じて送信され、
前記報知部は、前記第１通信部により前記要求信号が受信された後、前記認証応答が前記第２通信部から送信される前に、ユーザへ報知を行う、
通信装置。
【請求項１３】
前記第２通信部は、前記認証応答を送信した後、前記他の通信装置からアプリケーションに特化しない基本情報を受信し、さらにアプリケーションに特化した詳細情報を受信する、請求項１２に記載の通信装置。
【請求項１４】
前記通信装置は、少なくとも前記第２の通信可能範囲を有する複数の種類の通信方式を用いて通信可能である、請求項１２又は請求項１３に記載の通信装置。
【請求項１５】
前記通信装置は、前記複数の種類の通信方式の選択肢を表示する表示部、をさらに備え、
前記応答信号は、前記表示に基づいて選択される通信方式を指定する通信方式指定情報を含む、
請求項１４に記載の通信装置。
【請求項１６】
前記応答信号は、事前に設定される優先度に応じて選択される通信方式を指定する通信方式指定情報を含む、請求項１４に記載の通信装置。
【請求項１７】
前記報知部は、音声出力装置を介してユーザへ報知を行う、請求項１２〜１６のいずれか１項に記載の通信装置。
【請求項１８】
前記第１通信部から前記応答信号が送信された後に第１の画面を表示し、ハンドオーバ許可操作に応じて第２の画面を表示する表示部、をさらに備える、請求項１２〜１４、１６及び１７のいずれか１項に記載の通信装置。
【請求項１９】
前記第１通信部は、近接通信方式に従って通信する、請求項１２〜１８のいずれか１項に記載の通信装置。
【請求項２０】
第１の通信可能範囲を有する第１通信部と、第２の通信可能範囲を有する第２通信部と、ユーザへ報知を行う報知部と、を備える通信装置により実行される報知方法であって、
前記第１通信部が前記第２通信部を介した通信の開始を要求する要求信号を他の通信装置から受信することと、
前記第１通信部から前記他の通信装置へ前記要求信号に対する応答信号を送信することと、
前記第２通信部が前記他の通信装置から認証要求を受信することと、
前記第２通信部から前記他の通信装置へ認証応答を送信することと、
を含み、
前記要求信号は、ユーザによるハンドオーバ開始操作に応じて送信され、
前記報知方法は、前記第１通信部により前記要求信号が受信された後、前記認証応答が前記第２通信部から送信される前に、前記報知部によりユーザへ報知を行うこと、をさらに含む、
報知方法。
【請求項２１】
第１の通信可能範囲を有する第１通信部と、第２の通信可能範囲を有する第２通信部と、ユーザへ報知を行う報知部と、を備える通信装置を制御するコンピュータを、
前記第１通信部が前記第２通信部を介した通信の開始を要求する要求信号を他の通信装置から受信した後、前記第１通信部から前記他の通信装置へ前記要求信号に対する応答信号を送信し、
前記第２通信部が前記他の通信装置から認証要求を受信した後、前記第２通信部から前記他の通信装置へ認証応答を送信する制御部、
として機能させるためのプログラムであって、
前記要求信号は、ユーザによるハンドオーバ開始操作に応じて送信され、
前記制御部は、前記第１通信部により前記要求信号が受信された後、前記認証応答が前記第２通信部から送信される前に、前記報知部にユーザへの報知を行わせる、
プログラム。